(57)【要約】【課題】伸線後の線材のクセを制御できるマルチダイスを提供する。【解決手段】マルチダイス１は、線材を伸線するための第一ダイス１０および第二ダイス２０と、伸線方向に交差するように延びる溝が設けられており、第一ダイス１０を保持する第一ケース１３と、溝に嵌り合い、第二ダイス２０を保持する第二ケース２３と、溝内での第二ケース２３の位置を決定するボルト１２３，１２４とを備える。【選択図】図４
2019123009.tif 000002
【特許請求の範囲】
【請求項１】
線材を伸線するための第一ダイスおよび第二ダイスと、
伸線方向に交差するように延びる溝が設けられており、前記第一ダイスを保持する第一ケースと、
前記溝に嵌り合い、前記第二ダイスを保持する第二ケースと、
前記溝内での前記第二ケースの位置を決定する位置決め部とを備えた、マルチダイス。
【請求項２】
前記第一ケースは、前記第二ケースが伸線方向へ移動することを防止する防止手段を有する、請求項１に記載のマルチダイス。
【請求項３】
前記防止手段は前記溝の側面に設けられている、請求項２に記載のマルチダイス。
【請求項４】
前記位置決め部はネジ構造を有する、請求項１から３のいずれか１項に記載のマルチダイス。
【請求項５】
前記第一ダイスおよび前記第二ダイス間に設けられて前記第一ダイスおよび前記第二ダイス間に流体を供給する流路をさらに備えた、請求項１から４のいずれか１項に記載のマルチダイス。
【発明の詳細な説明】
【技術分野】
【０００１】
この発明は、マルチダイスに関する。
【背景技術】
【０００２】
従来、ダイスは、たとえば、特開昭４９−６４５５２号公報（特許文献１）、特開昭４９−７３３６０号公報（特許文献２）、特開２００５−４６８９９号公報（特許文献３）、実開昭５４−１７８３９号公報（特許文献４）、実開昭５８−１２３００号公報（特許文献５）に開示されている。
【先行技術文献】
【特許文献】
【０００３】
【特許文献１】特開昭４９−６４５５２号公報
【特許文献２】特開昭４９−７３３６０号公報
【特許文献３】特開２００５−４６８９９号公報
【特許文献４】実開昭５４−１７８３９号公報
【特許文献５】実開昭５８−１２３００号公報
【発明の概要】
【発明が解決しようとする課題】
【０００４】
従来のダイスでは、伸線後の線材のクセを制御することが困難であるという問題があった。そこでこの発明は上記の問題を解決するためになされたものである。
【課題を解決するための手段】
【０００５】
本発明の一態様に係るマルチダイスは、線材を伸線するための第一ダイスおよび第二ダイスと、伸線方向に交差するように延びる溝が設けられており、第一ダイスを保持する第一ケースと、溝に嵌り合い、第二ダイスを保持する第二ケースと、溝内での第二ケースの位置を決定する位置決め部とを備える。
【図面の簡単な説明】
【０００６】
【図１】実施の形態１に従ったマルチダイスの正面図である。
【図２】図１中の矢印ＩＩで示す方向から見たマルチダイスの平面図である。
【図３】図１中のＩＩＩ−ＩＩＩ線に沿った断面図である。
【図４】図１中のＩＶ−ＩＶ線に沿った断面図である。
【図５】実施の形態２に従ったマルチダイスの正面図である。
【図６】図５中の矢印ＶＩで示す方向から見たマルチダイスの平面図である。
【図７】図５中のＶＩＩ−ＶＩＩ線に沿った断面図である。
【図８】図５中のＶＩＩＩ−ＶＩＩＩ線に沿った断面図である。
【図９】実施の形態３に従ったマルチダイスの正面図である。
【図１０】図９中の矢印Ｘで示す方向から見たマルチダイスの平面図である。
【図１１】図９中のＸＩ−ＸＩ線に沿った断面図である。
【図１２】図９中のＸＩＩ−ＸＩＩ線に沿った断面図である。
【図１３】実施の形態４に従ったマルチダイスの正面図である。
【図１４】図１３中の矢印ＸＩＶで示す方向から見たマルチダイスの平面図である。
【図１５】図１３中のＸＶ−ＸＶ線に沿った断面図である。
【図１６】図１３中のＸＶＩ−ＸＶＩ線に沿った断面図である。
【図１７】実施の形態５に従ったマルチダイスの正面図である。
【図１８】図１７中の矢印ＸＶＩＩＩで示す方向から見たマルチダイスの平面図である。
【図１９】図１７中のＸＩＸ−ＸＩＸ線に沿った断面図である。
【図２０】図１７中のＸＸ−ＸＸ線に沿った断面図である。
【図２１】実施の形態６に従ったマルチダイスの正面図である。
【図２２】図２１中の矢印ＸＸＩＩで示す方向から見たマルチダイスの平面図である。
【図２３】図２１中のＸＸＩＩＩ−ＸＸＩＩＩ線に沿った断面図である。
【図２４】図２１中のＸＸＩＶ−ＸＸＩＶ線に沿った断面図である。
【図２５】実施の形態７に従ったマルチダイスの正面図である。
【図２６】図２５中の矢印ＸＸＶＩで示す方向から見たマルチダイスの平面図である。
【図２７】図２５中のＸＸＶＩＩ−ＸＸＶＩＩ線に沿った断面図である。
【図２８】図２５中のＸＸＶＩＩＩ−ＸＸＶＩＩＩ線に沿った断面図である。
【図２９】実施の形態８に従ったマルチダイスの正面図である。
【図３０】図２９中の矢印ＸＸＸで示す方向から見たマルチダイスの平面図である。
【図３１】図２９中のＸＸＸＩ−ＸＸＸＩ線に沿った断面図である。
【図３２】図２９中のＸＸＸＩＩ−ＸＸＸＩＩ線に沿った断面図である。
【図３３】実施の形態９に従ったマルチダイスの正面図である。
【図３４】図３３中の矢印ＸＸＸＩＶで示す方向から見たマルチダイスの平面図である。
【図３５】図３３中のＸＸＸＶ−ＸＸＸＶ線に沿った断面図である。
【図３６】図３３中のＸＸＸＶＩ−ＸＸＸＶＩ線に沿った断面図である。
【図３７】実施の形態１０に従ったマルチダイスの正面図である。
【図３８】図３７中の矢印ＸＸＸＶＩＩＩで示す方向から見たマルチダイスの平面図である。
【図３９】図３７中のＸＸＸＩＸ−ＸＸＸＩＸ線に沿った断面図である。
【図４０】図３７中のＸＬ−ＸＬ線に沿った断面図である。
【図４１】実施の形態１１に従ったマルチダイスの正面図である。
【図４２】図４１中の矢印ＸＬＩＩで示す方向から見たマルチダイスの平面図である。
【図４３】図４１中のＸＬＩＩＩ−ＸＬＩＩＩ線に沿った断面図である。
【図４４】図４１中のＸＬＩＶ−ＸＬＩＶ線に沿った断面図である。
【図４５】実施の形態１２に従ったマルチダイスの正面図である。
【図４６】図４５中の矢印ＸＬＶＩで示す方向から見たマルチダイスの平面図である。
【図４７】図４５中のＸＬＶＩＩ−ＸＬＶＩＩ線に沿った断面図である。
【図４８】図４５中のＸＬＶＩＩＩ−ＸＬＶＩＩＩ線に沿った断面図である。
【図４９】実施の形態１３に従ったマルチダイスの正面図である。
【図５０】図４９中の矢印Ｌで示す方向から見たマルチダイスの平面図である。
【図５１】図４９中のＬＩ−ＬＩ線に沿った断面図である。
【図５２】図４９中のＬＩＩ−ＬＩＩ線に沿った断面図である。
【図５３】実施の形態１４に従ったマルチダイスの正面図である。
【図５４】図５３中の矢印ＬＩＶで示す方向から見たマルチダイスの平面図である。
【図５５】図５３中のＬＶ−ＬＶ線に沿った断面図である。
【図５６】図５３中のＬＶＩ−ＬＶＩ線に沿った断面図である。
【図５７】実施の形態１５に従ったマルチダイスの正面図である。
【図５８】図５７中の矢印ＬＶＩＩＩで示す方向から見たマルチダイスの平面図である。
【図５９】図５７中のＬＩＸ−ＬＩＸ線に沿った断面図である。
【図６０】図５７中のＬＸ−ＬＸ線に沿った断面図である。
【図６１】実施の形態１６に従ったマルチダイスの正面図である。
【図６２】図６１中の矢印ＬＸＩＩで示す方向から見たマルチダイスの平面図である。
【図６３】図６１中のＬＸＩＩＩ−ＬＸＩＩＩ線に沿った断面図である。
【図６４】図６１中のＬＸＩＶ−ＬＸＩＶ線に沿った断面図である。
【図６５】実施の形態１７に従ったマルチダイスの正面図である。
【図６６】図６５中の矢印ＬＸＶＩで示す方向から見たマルチダイスの平面図である。
【図６７】図６５中のＬＸＶＩＩ−ＬＸＶＩＩ線に沿った断面図である。
【図６８】図６５中のＬＸＶＩＩＩ−ＬＸＶＩＩＩ線に沿った断面図である。
【図６９】実施の形態１８に従ったマルチダイスの正面図である。
【図７０】図６９中の矢印ＬＸＸで示す方向から見たマルチダイスの平面図である。
【図７１】図６９中のＬＸＸＩ−ＬＸＸＩ線に沿った断面図である。
【図７２】図６９中のＬＸＸＩＩ−ＬＸＸＩＩ線に沿った断面図である。
【図７３】実施の形態１９に従ったマルチダイスの正面図である。
【図７４】図７３中の矢印ＬＸＸＩＶで示す方向から見たマルチダイスの平面図である。
【図７５】図７３中のＬＸＸＶ−ＬＸＸＶ線に沿った断面図である。
【図７６】図７３中のＬＸＸＶＩ−ＬＸＸＶＩ線に沿った断面図である。
【図７７】実施の形態２０に従ったマルチダイスの正面図である。
【図７８】図７７中の矢印ＬＸＸＶＩＩＩで示す方向から見たマルチダイスの平面図である。
【図７９】図７７中のＬＸＸＩＸ−ＬＸＸＩＸ線に沿った断面図である。
【図８０】図７７中のＬＸＸＸ−ＬＸＸＸ線に沿った断面図である。
【図８１】実施の形態２１に従ったマルチダイスの正面図である。
【図８２】図８１中の矢印ＬＸＸＸＩＩで示す方向から見たマルチダイスの平面図である。
【図８３】図８１中のＬＸＸＸＩＩＩ−ＬＸＸＸＩＩＩ線に沿った断面図である。
【図８４】図８１中のＬＸＸＸＩＶ−ＬＸＸＸＩＶ線に沿った断面図である。
【図８５】実施の形態２２に従ったマルチダイスの正面図である。
【図８６】図８５中の矢印ＬＸＸＸＶＩで示す方向から見たマルチダイスの平面図である。
【図８７】図８５中のＬＸＸＸＶＩＩ−ＬＸＸＸＶＩＩ線に沿った断面図である。
【図８８】図８５中のＬＸＸＸＶＩＩＩ−ＬＸＸＸＶＩＩＩ線に沿った断面図である。
【図８９】実施の形態２３に従ったマルチダイスの正面図である。
【図９０】図８９中の矢印ＸＣで示す方向から見たマルチダイスの平面図である。
【図９１】図８９中のＸＣＩ−ＸＣＩ線に沿った断面図である。
【図９２】図８９中のＸＣＩＩ−ＸＣＩＩ線に沿った断面図である。
【図９３】実施の形態２４に従ったマルチダイスの断面図である。
【図９４】段付きキャプスタンローラを備えたスリップ型伸線機の模式図である。
【図９５】ノンスリップ型伸線機の模式図である。
【発明を実施するための形態】
【０００７】
［本発明の実施形態の説明］
（実施の形態１）
図１で示すように、実施の形態１に従ったマルチダイス１は、線材を伸線するための第一ダイス１０および第二ダイス２０と、伸線方向に交差するように延びる溝１９が設けられており、第一ダイス１０を保持する第一ケース１３と、溝１９に嵌り合い、第二ダイス２０を保持する第二ケース２３と、溝１９内での第二ケース２３の位置を決定する位置決め部としてのボルト１２３，１２４とを備える。
【０００８】
第一ケース１３は円形状である。第一ケース１３には、一方向に延在するように溝１９が設けられている。第一ケース１３には溝１９の延びる方向と交差するように延びる台座１２１，１２２が設けられている。
【０００９】
溝１９に第二ケース２３が嵌合している。第二ケース２３は矢印３で示す方向に溝１９内でスライドすることが可能である。第二ケース２３は２つのボルト１２３，１２４で位置決めされている。
【００１０】
第二ダイス２０には第二ダイス孔２５が設けられている。第二ダイス孔２５には第二ベアリング２４が設けられている。第二ベアリング２４は第二ダイス孔２５において最も径が小さい部分である。
【００１１】
図２で示すように溝１９はテーパー形状の一対のスライド面としての側面１２５と、対向する一対の側面１２５間に設けられた底面１４０とを有する。
【００１２】
溝１９は第一ケース１３の表面において開口している。溝１９内に台座１２１が設けられている。台座１２１にボルト１２３が螺合している。ボルト１２３が矢印Ｒで示す方向に回転することによりボルト１２３が軸方向に移動する。第二ケース２３の底面２４０が溝１９の底面１４０と接触する。第二ケース２３の側面２４１が溝１９の側面１２５と接触する。
【００１３】
図３で示すように、第一ダイス１０はダイヤモンド１２と、ダイヤモンド１２を保持するマウント材１１とを有する。第二ダイス２０はダイヤモンド２２と、ダイヤモンド２２を保持するマウント材２１とを有する。ダイヤモンド１２，２２は単結晶または多結晶のいずれであってもよい。
【００１４】
第一ダイス１０および第二ダイス２０には、線材を伸線加工するための第一ダイス孔１５および第二ダイス孔２５が設けられている。第一ダイス孔１５および第二ダイス孔２５は、同一の軸線周りに、互いに距離を隔てて形成されている。
【００１５】
矢印２で示す方向が伸線方向である。第一ダイス孔１５および第二ダイス孔２５に矢印２で示す方向に沿って線材が供給される。線材は第一ダイス孔１５および第二ダイス孔２５内で伸線加工されるので、縮径されて排出される。伸線方向（第一ダイス孔１５および第二ダイス孔２５の延びる方向）に平行な方向が軸方向である。伸線方向に直交する方向が径方向である。伸線方向を回転軸とする回転方向が周方向である。矢印２で示す伸線方向に対して溝１９が延びる方向は直交している。なお、矢印２で示す伸線方向に対して溝１９は必ずしも直交している必要はなく、交差していればよい。つまり、矢印２で示す伸線方向に対して溝１９は傾斜していてもよい。矢印２で示す伸線方向に対して溝１９は非平行であればよい。
【００１６】
第一ダイス１０および第二ダイス２０の第一ベアリング１４および第二ベアリング２４は、この実施の形態では、ダイヤモンド１２，２２で構成される。第一ベアリング１４および第二ベアリング２４は、超硬合金、セラミックス、サーメット、ダイヤモンドまたはｃＢＮなどの超硬質材料により構成されていてもよい。
【００１７】
第一ダイス１０および第二ダイス２０の第一ベアリング１４および第二ベアリング２４は、第一ダイス孔１５および第二ダイス孔２５の最も孔径の小さい部分である。第一ダイス孔１５および第二ダイス孔２５の形状は、円形、楕円形、多角形のいずれであってもよい。第一ダイス孔１５は、伸線方向に従って、エントランス、アプローチ、リダクション、第一ベアリング１４、バックリリーフおよびエクジットを有する。第二ダイス孔２５は、伸線方向に従って、エントランス、アプローチ、リダクション、第二ベアリング２４、バックリリーフおよびエクジットを有する。
【００１８】
ダイヤモンド１２，２２を保持するマウント材１１，２１は、たとえば焼結体で構成される。粉末をダイヤモンド１２，２２の周囲に配置し、焼結することでマウント材１１，２１を形成することができる。
【００１９】
第一ケース１３および第二ケース２３とマウント材１１，２１とは、マウント材１１，２１を焼結する際にマウント材１１，２１の材質と第一ケース１３および第二ケース２３の材質とを固相拡散（焼結結合）させることで接合することができる。この実施の形態では第一ケース１３および第二ケース２３とマウント材１１，２１との界面は直線状であるが、界面が凹凸形状となすようにして第一ケース１３および第二ケース２３とマウント材１１，２１との接触面積を増加させて、マウント材１１，２１が第一ケース１３および第二ケース２３から外れにくくしてもよい。
【００２０】
第一ケース１３および第二ケース２３は、たとえばステンレス鋼、チタンなどの金属により構成される。第一ケース１３および第二ケース２３は第一ダイス１０および第二ダイス２０の外周を形成する。
【００２１】
第一ケース１３の溝１９の一対の側面１２５は、矢印２で示す伸線方向の下流に向かって、互いの距離が近づくように傾斜する。伸線加工時には線材から第二ダイス２０に矢印２で示す方向の力が加えられる。これに伴って第二ケース２３も矢印２で示す方向に移動しようとするものの、側面１２５，２４１にテーパー形状が形成されていることから、第二ケース２３が矢印２で示す方向に移動することができない。その結果、第二ケース２３が溝１９から外れることを防止できる。
【００２２】
図４で示すように、この実施の形態では、第一ダイス１０および第二ダイス２０が互いに直接接触しているが、第一ダイス１０と第二ダイス２０との間に隙間が設けられていてもよい。
【００２３】
マルチダイス１は、線材を伸線するための第一ダイス１０および第二ダイス２０と、伸線方向に交差するように延びる溝１９が設けられており、第一ダイス１０を保持する第一ケース１３と、溝１９に嵌り合い、第二ダイス２０を保持する第二ケース２３と、溝１９内での第二ケース２３の位置を決定する位置決め部としてのボルト１２３，１２４とを備える。
【００２４】
第一ケース１３は、第二ケース２３が伸線方向へ移動することを防止する防止手段としてのテーパー形状の側面１２５を有する。位置決め部としてのボルト１２３，１２４はネジ構造を有する。
【００２５】
第二ダイス２０の断面積減少率は１０％以下であってもよい。断面積減少率は、第二ダイス２０で伸線加工される前の線材の断面積をＳ１とし、第二ダイス２０で伸線加工された後の線材の断面積をＳ２とすると、｛１−（Ｓ２／Ｓ１）｝×１００（％）で定義される。
【００２６】
台座１２１，１２２の一部分は、第一ケース１３に埋め込まれている。これにより台座１２１，１２２は第一ケース１３に保持されている。ボルト１２３，１２４を回転させることで、矢印３で示す方向に第二ベアリング２４を移動させることができる。第一ベアリング１４に対する第二ベアリング２４の位置に応じて、伸線後の線材のクセ（カール）の状況が変化する。そのため、第二ベアリング２４の位置に応じてカールの無い線材及びカールのある線材を製造することができる。
【００２７】
溝１９内に第二ケース２３を位置決めすることで第二ケース２３を確実に第一ケース１３で保持することができるため、第二ケース２３の位置が安定する。さらに、第二ケース２３を保持するための新たな部材を必要としないため、部品点数の増加を抑制できる。
【００２８】
この実施の形態では、溝１９内において第二ケース２３をスライドさせて任意の位置に第二ケース２３を配置できるようにした。しかしながら、第二ケース２３の位置を溝１９内で固定し、第二ケース２３の位置を変更できなくしてもよい。
【００２９】
特開昭４９−６４５５２号公報には、容器製造の際に使用される数個のアイロニングダイスが開示されているだけであり、伸線ダイスは何ら開示も示唆もされていない。
【００３０】
特開昭４９−７３３６０号公報には、棒または間の引抜機の補助装置が開示されているものの伸線ダイスは何ら開示も示唆もされていない。特許文献２では矯正工具が引抜軸を中心に回転することが開示されているものの、伸線方向に交差する溝が開示されていない。
【００３１】
特開２００５−４６８９９号公報には、２つのダイスの一方が周方向に回転可能であることが開示されているものの、伸線方向に交差する溝が開示されていない。
【００３２】
実開昭５４−１７８３９号公報には、ダイスの中心方向を自動的に可変にする線引きダイスホルダーが開示されているものの、伸線方向に交差する溝が開示されていない。
【００３３】
実開昭５８−１２３００号公報には、第１組および第２組のローラでワイヤの癖を調整する装置が開示されている。しかし伸線方向に交差する溝が開示されていない。
【００３４】
（実施の形態２）
図５から図８で示すように、実施の形態２に従ったマルチダイス１では、第二ケース２３を位置決めする手段（位置決め部）の一方がバネ１２６である点で、実施の形態１に従ったマルチダイス１と異なる。
【００３５】
実施の形態１では第二ケース２３の両側にボルト１２３，１２４が設けられていたため、一方のボルト１２３を回転させると他方のボルト１２４も回転させてボルト１２３，１２４と第二ケース２３との間に隙間が形成されないように調整する必要があった。
【００３６】
これに対して実施の形態２に従ったマルチダイス１では第二ケース２３の一方の面にボルト１２３が接触し、他方の面にバネ１２６が接触しているため、一方のボルト１２３を回転させて第二ケース２３の位置が変化すると、バネ１２６が伸縮して、バネ１２６は第二ケース２３の他方の面に接触する。その結果一方のボルト１２３のみを回転させることで第二ケース２３の位置を変更することができる。
【００３７】
（実施の形態３）
図９から図１２で示すように、実施の形態３に従ったマルチダイス１では、溝１９の側面１２７，１２８は矢印２で示す伸線方向に平行である。第二ケース２３の側面２４２，２４３も矢印２で示す伸線方向に平行である。側面１２７，１２８の間に矢印２で示す伸線方向に垂直な垂直面１２９が設けられる。第一ケース１３は、第二ケース２３が伸線方向へ移動することを防止する防止手段としての垂直面１２９を有する。側面２４２，２４３の間に矢印２で示す伸線方向に垂直な垂直面２４４が設けられる。
【００３８】
伸線加工時には線材から第二ダイス２０に矢印２で示す方向の力が加えられる。これに伴って第二ケース２３も矢印２で示す方向に移動しようとするものの、垂直面１２９，２４４が互いに接触して、第二ケース２３が矢印２で示す方向に移動することができない。その結果、第二ケース２３が溝１９から外れることを防止できる。
【００３９】
実施の形態１および２では、側面１２５，２４１がテーパー面であるため、楔効果によってこれらの側面１２５，２４１が強く接触するが、実施の形態３では垂直面１２９，２４４がテーパー面ではないため楔効果が発生しない。その結果、第二ケース２３を移動させやすい。
【００４０】
（実施の形態４）
図１３から図１６で示すように、実施の形態４に従ったマルチダイス１では、第二ケース２３を位置決めする手段の一方がバネ１２６である点で、実施の形態３に従ったマルチダイス１と異なる。
【００４１】
（実施の形態５）
図１７から図２０で示すように、実施の形態５に従ったマルチダイス１では、溝１９の側面１２５がテーパー面であり、側面１２７が矢印２で示す伸線方向に対して平行な面である。第一ケース１３は、第二ケース２３が伸線方向へ移動することを防止する防止手段としてのテーパー形状の側面１２５を有する。第二ケース２３においても、側面２４１がテーパー面であり、側面２４２が矢印２で示す伸線方向に対して平行な面である。
【００４２】
（実施の形態６）
図２１から図２４で示すように、実施の形態６に従ったマルチダイス１では、第二ケース２３を位置決めする手段の一方がバネ１２６である点で、実施の形態５に従ったマルチダイス１と異なる。
【００４３】
（実施の形態７）
図２５から図２８で示すように、実施の形態７に従ったマルチダイス１では、溝１９の側面１２７と底面１４０との間に曲面部１３０が設けられている。曲面部１３０は半円形状である。第一ケース１３は、第二ケース２３が伸線方向へ移動することを防止する防止手段としての曲面部１３０を有する。第二ケース２３においても、側面２４２と底面２４０との間に曲面部２４５が設けられている。曲面部２４５は半円形状である。
【００４４】
（実施の形態８）
図２９から図３２で示すように、実施の形態８に従ったマルチダイス１では、第二ケース２３を位置決めする手段の一方がバネ１２６である点で、実施の形態７に従ったマルチダイス１と異なる。
【００４５】
（実施の形態９）
図３３から図３６で示すように、実施の形態９に従ったマルチダイス１では、溝１９の延びる方向（矢印３で示す方向）および矢印２で示す伸線方向に対して垂直にボルト１２４が設けられている。ボルト１２４は第一ケース１３に螺合している。ボルト１２４の先端が第二ケース２３に接触している。ボルト１２４の先端が第二ケース２３を押すことで、溝１９内で所定の位置に第二ケース２３を位置決めすることができる。
【００４６】
ボルト１２４と対面する位置における側面１２７は、ボルト１２４の軸方向と直交する面である。これは、ボルト１２４から第二ケース２３が押圧された場合にその力を受け止めるとともに、矢印２，３で示す方向の成分の力を発生させないためである。矢印２で示す方向の成分の力が発生すると伸線方向に第二ケース２３に力が加わるためである。矢印３で示す方向の成分の力が発生するとスライド方向に第二ケース２３に力が加わるためである。
【００４７】
（実施の形態１０）
図３７から図４０で示すように、実施の形態１０に従ったマルチダイス１では、溝１９の側面１２５がテーパー面であり、側面１２７が矢印２で示す伸線方向に対して平行な面である。第二ケース２３においても、側面２４１がテーパー面であり、側面２４２が矢印２で示す伸線方向に対して平行な面である。
【００４８】
ボルト１２４と対面する位置における側面１２７は、ボルト１２４の軸方向と直交する面である。
【００４９】
（実施の形態１１）
図４１から図４４で示すように、実施の形態１１に従ったマルチダイス１では、溝１９の側面１２７と底面１４０との間に曲面部１３０が設けられている。曲面部１３０は半円形状である。第二ケース２３においても、側面２４２と底面２４０との間に曲面部２４５が設けられている。曲面部２４５は半円形状である。
【００５０】
溝１９の延びる方向（矢印３で示す方向）および矢印２で示す伸線方向に対して垂直にボルト１２４が設けられている。ボルト１２４は第一ケース１３に螺合している。ボルト１２４の先端が第二ケース２３に接触している。ボルト１２４の先端が第二ケース２３を押すことで、溝１９内で所定の位置に第二ケース２３を位置決めすることができる。ボルト１２４と対面する位置における側面１２７は、ボルト１２４の軸方向と直交する面である。
【００５１】
（実施の形態１２）
図４５から図４８で示すように、実施の形態１２に従ったマルチダイス１では、第二ケース２３を位置決めする手段の一方がバネ１２６である点で、実施の形態９に従ったマルチダイス１と異なる。
【００５２】
（実施の形態１３）
図４９から図５２で示すように、実施の形態１３に従ったマルチダイス１では、第二ケース２３を位置決めする手段の一方がバネ１２６である点で、実施の形態１０に従ったマルチダイス１と異なる。
【００５３】
（実施の形態１４）
図５３から図５６で示すように、実施の形態１４に従ったマルチダイス１では、第二ケース２３を位置決めする手段の一方がバネ１２６である点で、実施の形態１１に従ったマルチダイス１と異なる。
【００５４】
（実施の形態１５）
図５７から図６０で示すように、実施の形態１５に従ったマルチダイス１では、溝１９の一方の側面１２５がテーパー面であり、他方の側面１２７が矢印２で示す伸線方向および矢印３で示すスライド方向に平行な面である点で、実施の形態１に従ったマルチダイス１と異なる。
【００５５】
溝１９および第二ケース２３は図５８および図５９において左右非対称に設けられている。その結果、溝１９に第二ケース２３を組み付ける際に逆方向に組み付けることができない。その結果、組み付けのミスを防止できる。
【００５６】
（実施の形態１６）
図６１から図６４で示すように、実施の形態１６に従ったマルチダイス１では、第二ケース２３を位置決めする手段の一方がバネ１２６である点で、実施の形態１５に従ったマルチダイス１と異なる。
【００５７】
（実施の形態１７）
図６５から図６８で示すように、実施の形態１７に従ったマルチダイス１では、溝１９の一方の側面１２５，１２７の間に垂直面１２９が設けられている点で、実施の形態３に従ったマルチダイス１と異なる。他方の側面１２５には垂直面は設けられていない。
【００５８】
（実施の形態１８）
図６９から図７２で示すように、実施の形態１８に従ったマルチダイス１では、第二ケース２３を位置決めする手段の一方がバネ１２６である点で、実施の形態１７に従ったマルチダイス１と異なる。
【００５９】
（実施の形態１９）
図７３から図７６で示すように、実施の形態１９に従ったマルチダイス１では、溝１９の一方の側面１２５のみがテーパー面である点で、実施の形態５に従ったマルチダイス１と異なる。
【００６０】
（実施の形態２０）
図７７から図８０で示すように、実施の形態２０に従ったマルチダイス１では、第二ケース２３を位置決めする手段の一方がバネ１２６である点で、実施の形態１９に従ったマルチダイス１と異なる。
【００６１】
（実施の形態２１）
図８１から図８４で示すように、実施の形態２１に従ったマルチダイス１では、溝１９の一方の側面１２７のみに曲面部１３０が設けられる点で、実施の形態７に従ったマルチダイス１と異なる。
【００６２】
（実施の形態２２）
図８５から図８８で示すように、実施の形態２２に従ったマルチダイス１では、第二ケース２３を位置決めする手段の一方がバネ１２６である点で、実施の形態２１に従ったマルチダイス１と異なる。
【００６３】
（実施の形態２３）
図８９から図９２で示すように、実施の形態２３に従ったマルチダイス１では、第二ケース２３に流路３００が設けられている点で、実施の形態１に従ったマルチダイス１と異なる。マルチダイス１は、第一ダイス１０および第二ダイス２０間に設けられて第一ダイス１０および第二ダイス２０間に流体を供給する流路３００をさらに備える。
【００６４】
流路３００は第一ベアリング１４と第二ベアリング２４との間の空間の伸線屑を外部に排出するためのものである。流路３００に流体（たとえば冷却液）を流すことにより、第一ベアリング１４および第二ベアリング２４に流体が到達して第一ベアリング１４および第二ベアリング２４を冷却および潤滑することができる。さらに、第一ベアリング１４および第二ベアリング２４間の伸線屑を排出することができる。
【００６５】
この実施の形態では第二ケース２３に流路３００を設けているが、第一ケース１３に流路３００を設けてもよい。
【００６６】
（実施の形態２４）
図９３で示すように、実施の形態２４に従ったマルチダイス１では矢印２で示す伸線方向に対して第一ダイス１０下流側、第二ダイス２０が上流側に位置している。第一ダイス１０が上流側、第二ダイス２０が下流側に位置する実施の形態２３に従ったマルチダイス１と異なる。
【００６７】
（実施の形態２５）
図９４で示すように、段付きキャプスタンローラー１０１，１０２を備えたスリップ型伸線機では複数のダイス９が配置される。各ダイス９のパス毎に所定の断面積減少率となるように各ダイス９のベアリングの直径を設定する。線材８はダイス９を通過する毎に走行速度が増加する。段付きキャプスタンローラー１０１，１０２の各段は、その周速度が、線材の走行速度よりも常に早くなるように設計される。これにより線材８がたわまないようにする。したがって、線材８の走行速度と、段付きキャプスタンローラー１０１，１０２の周速度の速度差分だけスリップしながら伸線加工が行われる。スリップしながら伸線されるため、線材８の表面に傷が発生する問題がある。線材８の直径は、最終のパスとなる仕上げ用のマルチダイス１のベアリングの直径によって決定される。最終の仕上げ用のマルチダイス１の精度（ベアリングの直径、真円度）は精密に制御しなければならない。実施の形態で示すマルチダイス１は仕上げ用のダイスとして用いるとその性能を最大限に発揮する。ダイス９を実施の形態のマルチダイス１で構成してもよい。
【００６８】
供給ボビン１０３から線材８が矢印１１１で示す方向に供給される。線材８はマルチダイス１によって伸線される。段付きキャプスタンローラー１０１，１０２によって線材８が送られる。段付きキャプスタンローラー１０１，１０２は矢印Ｒ１で示す方向に回転する。段付きキャプスタンローラー１０１，１０２の外径は、線材８の流れの下流に行くにしたがって大きくなる。これは下流に行くほど線材８の断面積が小さくなり、線材８の送り速度が速くなるからである。最後に線材８は巻取りボビン１０４に巻き取られる。
【００６９】
図９５で示すように、ノンスリップ型伸線機に実施の形態に従ったマルチダイス１を適用してもよい。ダンサープーリー５２４、マルチダイス１およびキャプスタンローラー５２１，５２２をひとつの伸線機として、複数の伸線機を同期制御してつなげた形式としたのがノンスリップ型伸線機である。マルチダイス１通過後の線材８の走行速度は、次に接触するキャプスタンローラー５２１，５２２の周速度に等しいので、線材８とキャプスタンローラー５２１，５２２の間でスリップが発生しない。ダンサープーリ―５２４が矢印で示す方向に回動可能であるためダンサープーリ―５２４によって供給ボビン１０３、キャプスタンローラー５２１，５２２、ボビン５３１間の距離を調整することができる。その結果、線材８がキャプスタンローラー５２１，５２２に対してスリップすることを防止できる。線材８の表面粗さが好ましい状態となるため、マルチダイス１で線材８に付与したクセが保持される。
【００７０】
今回開示された実施の形態はすべての点で例示であって、制限的なものではないと考えられるべきである。本発明の範囲は上記した実施の形態ではなく請求の範囲によって示され、請求の範囲と均等の意味、および範囲内でのすべての変更が含まれることが意図される。
【符号の説明】
【００７１】
１  マルチダイス、２，３，１１１  矢印、８  線材、９  ダイス、１０  第一ダイス、１１，２１  マウント材、１２，２２  ダイヤモンド、１３  第一ケース、１４  第一ベアリング、１５  第一ダイス孔、１９  溝、２０  第二ダイス、２３  第二ケース、２４  第二ベアリング、２５  第二ダイス孔、１０１，１０２  段付きキャプスタンローラー、１０３  供給ボビン、１０４  巻取りボビン、１２１，１２２  台座、１２３，１２４  ボルト、１２５，１２７，１２８，２４１，２４２，２４３  側面、１２６  バネ、１２９，２４４  垂直面、１３０，２４５  曲面部、１４０，２４０  底面、３００  流路、５２１，５２２  キャプスタンローラー、５２４  ダンサープーリー。
【図１】
2019123009.tif 000003
【図２】
2019123009.tif 000004
【図３】
2019123009.tif 000005
【図４】
2019123009.tif 000006
【図５】
2019123009.tif 000007
【図６】
2019123009.tif 000008
【図７】
2019123009.tif 000009
【図８】
2019123009.tif 000010
【図９】
2019123009.tif 000011
【図１０】
2019123009.tif 000012
【図１１】
2019123009.tif 000013
【図１２】
2019123009.tif 000014
【図１３】
2019123009.tif 000015
【図１４】
2019123009.tif 000016
【図１５】
2019123009.tif 000017
【図１６】
2019123009.tif 000018
【図１７】
2019123009.tif 000019
【図１８】
2019123009.tif 000020
【図１９】
2019123009.tif 000021
【図２０】
2019123009.tif 000022
【図２１】
2019123009.tif 000023
【図２２】
2019123009.tif 000024
【図２３】
2019123009.tif 000025
【図２４】
2019123009.tif 000026
【図２５】
2019123009.tif 000027
【図２６】
2019123009.tif 000028
【図２７】
2019123009.tif 000029
【図２８】
2019123009.tif 000030
【図２９】
2019123009.tif 000031
【図３０】
2019123009.tif 000032
【図３１】
2019123009.tif 000033
【図３２】
2019123009.tif 000034
【図３３】
2019123009.tif 000035
【図３４】
2019123009.tif 000036
【図３５】
2019123009.tif 000037
【図３６】
2019123009.tif 000038
【図３７】
2019123009.tif 000039
【図３８】
2019123009.tif 000040
【図３９】
2019123009.tif 000041
【図４０】
2019123009.tif 000042
【図４１】
2019123009.tif 000043
【図４２】
2019123009.tif 000044
【図４３】
2019123009.tif 000045
【図４４】
2019123009.tif 000046
【図４５】
2019123009.tif 000047
【図４６】
2019123009.tif 000048
【図４７】
2019123009.tif 000049
【図４８】
2019123009.tif 000050
【図４９】
2019123009.tif 000051
【図５０】
2019123009.tif 000052
【図５１】
2019123009.tif 000053
【図５２】
2019123009.tif 000054
【図５３】
2019123009.tif 000055
【図５４】
2019123009.tif 000056
【図５５】
2019123009.tif 000057
【図５６】
2019123009.tif 000058
【図５７】
2019123009.tif 000059
【図５８】
2019123009.tif 000060
【図５９】
2019123009.tif 000061
【図６０】
2019123009.tif 000062
【図６１】
2019123009.tif 000063
【図６２】
2019123009.tif 000064
【図６３】
2019123009.tif 000065
【図６４】
2019123009.tif 000066
【図６５】
2019123009.tif 000067
【図６６】
2019123009.tif 000068
【図６７】
2019123009.tif 000069
【図６８】
2019123009.tif 000070
【図６９】
2019123009.tif 000071
【図７０】
2019123009.tif 000072
【図７１】
2019123009.tif 000073
【図７２】
2019123009.tif 000074
【図７３】
2019123009.tif 000075
【図７４】
2019123009.tif 000076
【図７５】
2019123009.tif 000077
【図７６】
2019123009.tif 000078
【図７７】
2019123009.tif 000079
【図７８】
2019123009.tif 000080
【図７９】
2019123009.tif 000081
【図８０】
2019123009.tif 000082
【図８１】
2019123009.tif 000083
【図８２】
2019123009.tif 000084
【図８３】
2019123009.tif 000085
【図８４】
2019123009.tif 000086
【図８５】
2019123009.tif 000087
【図８６】
2019123009.tif 000088
【図８７】
2019123009.tif 000089
【図８８】
2019123009.tif 000090
【図８９】
2019123009.tif 000091
【図９０】
2019123009.tif 000092
【図９１】
2019123009.tif 000093
【図９２】
2019123009.tif 000094
【図９３】
2019123009.tif 000095
【図９４】
2019123009.tif 000096
【図９５】
2019123009.tif 000097